(57)【要約】      （修正有）【課題】開閉体に用いて好適な錠前付きの把手装置を提供する。【解決手段】一側端に錠取付孔２を開口し、他側部に手掛け窓３を開口形成した前面板４と、錠取付孔２および手掛け窓３を囲むように前面板４の背面に一体に突出形成された周壁５と、周壁５の内部であって、錠取付孔２の内部に位置する錠機構収装部と、を設けた把手本体６を備え、前面板４に対向して設けられた背面板７と、背面板７の前面に一体に突出形成され、周壁５の手掛け窓側区画に着脱自在に係合される位置決め突起１０と、周壁５の錠機構収装部側区画内に収装され、錠取付孔２の開口部に錠の鍵穴１４ａを臨ませた錠前機構１２と、背面板７の後部に突出し、錠前機構１２の鍵操作に連動して回動可能な閂１７を備え、周壁５の外形状にくり抜かれた取付対象の開閉体に前面板４と背面板７とを挟み込んで固定する。【選択図】図１
0003207069.tif 000002
【実用新案登録請求の範囲】
【請求項１】
一側端に錠取付孔（２）を開口し、他側部に手掛け窓（３）を開口形成した前面板（４）と、
錠取付孔（２）および手掛け窓（３）を囲むように前面板（４）の背面に一体に突出形成された周壁（５）と、
周壁（５）の内部であって、錠取付孔（２）の内部に位置する錠機構収装部と、を設けた把手本体（６）を備え、
前記前面板（４）に対向して設けられた背面板（７）と、
背面板（７）の前面に一体に突出形成され、前記周壁（５）の手掛け窓側区画に着脱自在に係合される位置決め突起（１０）と、
前記周壁（５）の錠機構収装部側区画内に収装され、前記錠取付孔（２）の開口部に錠の鍵穴（１４ａ）を臨ませた錠前機構（１２）と、
前記背面板（７）の後部に突出し、前記錠前機構（１２）の鍵操作に連動して回動可能な閂（１７）を備え、
前記周壁（５）の外形状にくり抜かれた取付対象の開閉体（Ａ）に前記前面板（４）と前記背面板（７）とを挟み込んで固定することを特徴とする錠前付き把手装置。
【請求項２】
前記背面板（７）の前面に一体に突出形成された前記位置決め突起（１０）は、外周壁面が外周方向に連続する略角皿型の突起により形成され、位置決め突起（１０）の外周壁面が前記前面板（４）背面の前記周壁（５）の連続する手掛け窓側区画の周壁面内に、嵌合前後幅を調整自在として嵌合されており、
前記位置決め突起（１０）の断面凸状に形成された表面には、通気孔（４５）が貫通して形成され、位置決め突起（１０）の後面は断面凹状に形成されていることを特徴とする請求項１に記載の錠前付き把手装置。
【請求項３】
前記通気孔（４５）は、前記位置決め突起（１０）の表面に多数のスリット状開口が平行して形成されていることを特徴とする請求項２に記載の錠前付き把手装置。
【考案の詳細な説明】
【技術分野】
【０００１】
本考案は一般家庭用家具やオフィス用家具、建具などの什器における引き違い戸、抽斗あるいは開き戸などの開閉体に用いて好適な錠前付きの把手装置に関する。
【背景技術】
【０００２】
把手は、家具、建具などの什器の引き違い戸、抽斗、開き戸などの開閉体に取り付けられて開閉操作の手がかりを得るための部品である（特許文献１参照）。
【０００３】
この種の把手、特に整理棚や食器棚などの一般家庭用収納家具では、その引き違い戸、抽斗あるいは開き戸などの把手に錠機構を付加するためには、別途取付や加工を要していた。また、ロッカーや収納庫などのオフィス用収納家具の扉となる開閉体には、錠前付きの把手装置が設けられているが、一般的に、扉の背部に錠前付きの把手装置ユニットが突出して設けられており、美観の点でも問題があり、その取付作業も面倒であった。
【先行技術文献】
【特許文献】
【０００４】
【特許文献１】実用新案登録第３１２７０３７号公報
【考案の概要】
【考案が解決しようとする課題】
【０００５】
しかし、上記特許文献１に示されるような、一般家庭用収納家具においても、プライバシーを重視する傾向にあり、特に現金、預金通帳、各種証書あるいは宝石類など個人的な管理が必須なものでは、他人が勝手に開けることを予め確実に防止対策しておく必要がある。
【０００６】
また、施錠していない場合には、地震などがあるとその震動により簡単に開き、収納物が落ちて破損したり、散乱により足の踏み場がなくなる場合も多く、いずれにせよ錠前付き把手装置が望まれる場合が多い。
【０００７】
本考案は、以上の観点に基づきなされたものであり、予め把手に錠機構を組み込んでおくことにより、把手の取付とは別に錠機構の取付を行うことなく、簡単な加工により同時取付を可能とした錠前付き把手装置を提供するものである。
【０００８】
また、本考案は、扉などを構成する開閉体の板厚を利用したコンパクトで安定した取付構造であり、取付状態の美観の点でも優れた錠前付き把手装置を提供する。
【０００９】
さらに、本考案は、把手装置に設けた通気孔を利用して、家具内部の通気を安定して行わせるようにした錠前付き把手装置を提供する。
【課題を解決するための手段】
【００１０】
前記目的を達成するための手段を、本考案の図の実施の形態を参照して説明する。
請求項１に記載の本考案は、
一側端に錠取付孔２を開口し、他側部に手掛け窓３を開口形成した前面板４と、
錠取付孔２および手掛け窓３を囲むように前面板４の背面に一体に突出形成された周壁５と、
周壁５の内部であって、錠取付孔２の内部に位置する錠機構収装部と、を設けた把手本体６を備え、
前記前面板４に対向して設けられた背面板７と、
背面板７の前面に一体に突出形成され、前記周壁５の手掛け窓側区画に着脱自在に係合される位置決め突起１０と、
前記周壁５の錠機構収装部側区画内に収装され、前記錠取付孔２の開口部に錠の鍵穴１４ａを臨ませた錠前機構１２と、
前記背面板７の後部に突出し、前記錠前機構１２の鍵操作に連動して回動可能な閂１７を備え、
前記周壁５の外形状にくり抜かれた取付対象の開閉体Ａに前記前面板４と前記背面板７とを挟み込んで固定することを特徴とする錠前付き把手装置にある。
前記鍵操作に連動して、前記閂１７を開閉体を支持する筐体側の掛止部に係脱可能としている。
【００１１】
上記錠前付き把手装置の構成によれば、開閉体Ａを構成する取付板体の厚さ内に、錠取付孔２と手掛け窓３を有する前面板４と背面板７とを挟み込んで固定し、前面板４と背面板７の内部に錠前機構１２が収納されることから取付板体の板厚を利用して錠前付き把手装置をコンパクトに取り付けることができる。
上記取付状態において、前面板４の背面に一体に突出形成された周壁５と背面板７の前面に一体に突出形成された位置決め突起１０とが互いに係合するところから、その取付位置決めが確実であり、取付板体の厚さにも容易に適合する。
【００１２】
請求項２に記載の本考案は、前記背面板７の前面に一体に突出形成された前記位置決め突起１０は、外周壁面が外周方向に連続する略角皿型の突起により形成され、位置決め突起１０の外周壁面が前記前面板４背面の前記周壁５の連続する手掛け窓側区画の周壁面内に、嵌合前後幅を調整自在として嵌合されており、位置決め突起１０の後面は断面凹状に形成され、
前記位置決め突起１０の断面凸状に形成された表面には、通気孔４５が形成されていることを特徴とする請求項１に記載の錠前付き把手装置にある。
【００１３】
請求項３に記載の本考案は、前記通気孔４５は、前記位置決め突起１０の表面に多数のスリット状開口が平行して形成されていることを特徴とする。
手装置。
【００１４】
上記錠前付き把手装置の構成によれば、開閉体Ａへの取付状態において、前面板４の周壁５と背面板７の位置決め突起１０とが互いにその内外周壁面が連続して接して係合するところから、その取付位置決めが確実であり、取付板体の厚さにも容易に適合する。
また、位置決め突起１０は、その表面に通気孔４５が形成され、錠前付き把手装置が設けられた家具類内部の換気が行われる。位置決め突起１０は、背面板７の前面に断面凸状に形成され、位置決め突起１０の後面は断面凹状に形成されるところから、家具類の内部において、位置決め突起１０の後面に衣類や書類などが密接して設けられていても、上記の換気が位置決め突起１０の後面の断面凹状部の存在により有効に行われて、損なわれることがない。
【考案の効果】
【００１５】
従って本考案によれば、把手装置に錠前機構が付属しているため、別に錠前を用意したり取付することなく、単に開閉体を支持する筐体側に掛止部を設けるだけで良いため、取付が簡単である。
さらに、本考案によれば、開閉体を構成する取付板体の厚さ内に、錠取付孔と手掛け窓を有する前面板と背面板とを挟み込んで固定し、前面板と背面板の内部に錠前機構が収納されることから取付板体の板厚を利用して錠前付き把手装置をコンパクトに取り付けることができる。
本考案では、前面板の背面に一体に突出形成された周壁と背面板の前面に一体に突出形成された位置決め突起とが互いに係合するところから、その取付位置決めが確実であり、取付板体の厚さにも容易に適合する。
【００１６】
請求項２又は３の本考案によれば、開閉体への取付状態において、前面板の周壁と背面板の位置決め突起とが互いにその内外周壁面が連続して接して係合するところから、その取付位置決めが確実であり、取付板体の厚さにも容易に適合する。
また、位置決め突起は、その表面に通気孔が形成され、錠前付き把手装置が設けられた家具類内部の換気が行われる。位置決め突起は、背面板の前面に断面凸状に形成され、位置決め突起の後面は断面凹状に形成されるところから、家具類の内部において、位置決め突起の後面に衣類や書類などが密接して設けられていても、上記の換気が位置決め突起の後面の断面凹状部の存在により有効に行われて、損なわれることがない。
【００１７】
請求項３に記載の本考案は、前記通気孔は、前記位置決め突起の表面に多数のスリット状開口が平行して形成されているところから、上記換気機能が確実であり、通気孔から内部が透視されることがない。
通気孔を多数の円形小孔の集合により形成させることができる。
【図面の簡単な説明】
【００１８】
【図１】本考案に係る錠前付き把手装置の分解斜視図である。
【図２】同把手装置の組立状態を示す正面図、底面図、側面図、背面図である。
【図３】（ａ），（ｂ）は同正面側から見た斜視図である。
【図４】（ａ），（ｂ）は開閉体の肉厚の違いを示す一部切り欠きの断面図である。
【図５】（ａ），（ｂ）は本考案を引き違い戸に適用した場合の開閉状態を示す一部拡大部分を含む斜視図である。
【図６】（ａ），（ｂ）は本考案を抽斗に適用した場合の正面図および斜視図である。
【図７】（ａ），（ｂ）は本考案を開閉扉に適用した場合の施・開錠状態を斜視図である。
【考案を実施するための形態】
【００１９】
以下、本考案の実施の形態につき添付図面を用いて詳細に説明する。
図１において、錠前付き把手装置１は、一側端に錠取付孔２を開口し、他側部に長孔状をした手掛け窓３を開口形成した前面板４と、錠取付孔２および手掛け窓３の周囲を囲むように前面板４の背面に一体に突出形成された周壁５とにより構成された合成樹脂製の把手本体６と、把手本体６の背面にあって周壁５の後端縁に取り付けられる前記前面板４と同一外形で同じく合成樹脂製の背面板７とを備えている。前面板４と背面板７とは、正面形状を横長（縦長）矩形状としたブロック形状となっている。
【００２０】
周壁５内は隔壁により前記錠取付孔２に連通する錠機構収装空間と長方形の手掛け窓側空間に区画されている。
【００２１】
背面板７の一端側には窓孔９が開口され、他側部側には前記周壁５の内側に係合する位置決め突起１０が突設されている。そして、背面板７の長手方向両側に開けられた一対ビス孔１１にビス固定具Ｂ1 をねじ込むことによって、背面板７は周壁５の背面に固定される。
【００２２】
前記錠機構収装空間に収装されるシリンダ錠１２は、錠取付孔２に挿通されるとともに前面に鍵穴１４ａを覗かせている。鍵穴１４ａには、鍵２２が挿入され、背面板７の背部に設けられた閂１７を略９０度の範囲で回動操作させる。閂１７はビス固定具Ｂ３によりシリンダ錠１２に組み込み固定されている。
【００２３】
従って把手装置１の組立状態で、閂１７は図２の各部および図３（ａ）に示すように、把手装置１の背面側方に突出し、これを後述する固定側に掛止することにより施錠状態となる。この状態から鍵穴１４ａに鍵２２を差し込み、略９０度回動させることにより図３（ｂ）に示すように、閂１７は把手装置１の背面に隠れるべく回動し、開錠状態に保持される。
【００２４】
そして、図４（ａ）に示すように、把手装置１が固定される開閉体Ａを周壁５の外形状にくり抜き、前面板４と背面板７を表裏合わせ、ビスＢ１固定具をビス孔１１にねじ込むことより、開閉体Ａに挟持教示固定される。ここで開閉体Ａの材厚寸法ｔ1 が周壁５の厚みに等しい場合には把手装置１の前面板４と背面板７同士は図２，３のように完全に閉じられた状態で組付けられる。通常はその寸法に応じて材厚設定されるが、開閉体Ａの材厚寸法ｔ2 が周壁５の厚みより大きい場合には図４（ｂ）に示すように、多少離れた状態で組み付けられることになり、ボス部８の背面側への突出寸法に余裕をもたらせておくことにより、それらの寸法差に適合した取り付けが可能となる。
【００２５】
背面板７の前面に一体に突出形成された前記位置決め突起１０は、外周壁面が外周方向に連続する略角皿型の突起により形成され、位置決め突起１０の外周壁面が前記前面板４背面の前記周壁５の連続する手掛け窓側区画の周壁面内に、嵌合前後幅を調整自在として嵌合されている。位置決め突起１０の後面は断面凹状に形成され、位置決め突起１０の断面凸状に形成された表面板部には、通気孔４５が貫通して形成されている。
【００２６】
通気孔４５は、位置決め突起１０の表面に多数のスリット状開口が平行して形成されている。通気孔を多数の円形小孔の集合により形成させることができる。
【００２７】
次に以上の錠付き把手装置１の適用例について、図５以下の図面を用いて説明する。なお、各図においては模式的な取付形態を示しており、必ずしも相手側の大きさや形状が説明通りではない。
【００２８】
まず、図５（ａ）は収納庫、物置などの前面開口した筐体３０を開閉する左右一対のガラリ戸３１の左右側壁３２側の端部に把手装置１を縦向きに固定する一方、側壁３２の内側面には掛止孔３３ａを形成した厚手の閂受け３３を設け、この閂受け３３の掛止孔３３ａの内側に閂１７を掛止し、施錠状態に保持したものである。この状態で鍵を差し込んで９０°回し、開錠すれば、図５（ｂ）に示すようにガラリ戸３１を開けることができる。図では向かって右側のみ解錠操作したが左右のガラリ戸３１とも同じ施錠、解錠でき、開錠すれば自由に引き違い式に開閉できる。なお、把手装置１は鍵穴側を下にしてガラリ戸３１に固定しても良い。
【００２９】
次に図６（ａ），（ｂ）は把手装置１を抽斗３４の前板３５に横向きに固定した場合を示している。前板３５に連続するボックス部３６は前板３５より一段低く、前面開口した収納ケース３７の天板３８との間には十分な隙間が生じており、この隙間部分において天板３８の前部側下面には厚手の閂受け３９を固定しておき、施錠状態で閂１７を閂受け３９の背面に掛止したものである。従ってこの状態で鍵を鍵穴に差し込んで９０°回動させれば開錠でき、把手装置１をもって抽斗３４をケース３７より引き出せば、ボックス部３６を覗かせることができる。
【００３０】
図７はロッカーなどの一面開口した開閉式ボックス４０における開き扉４１の開閉端に把手装置１を固定した場合を示し、（ａ）では開き扉４１を閉止した状態で閂１７をボックス４０の内側に縦型に開口した掛止孔４２に掛止し、施錠している。この状態で鍵を鍵穴に差し込んで９０°回せば、（ｂ）に示すように、閂１７は掛け外されて解錠され、その後は開き扉４１をヒンジ４３を基点としてボックス４０の開口を開けることができる。
【００３１】
なお、前記各適用例では明示していないが木製家具、スチール製家具、建具などの什器一般に適用可能であり、それらが木製の場合には、取付箇所を穴開け加工の上鉄製の頑丈な掛止具を加工位置に固定すれば良いし、スチール製であれば鉄板に掛止孔を直接開けても良いし、補強用の厚手の鉄製掛止具を溶接などにより固定しておいても良い。
【符号の説明】
【００３２】
１  錠前付き把手装置
２  錠孔
３  手掛け窓
４  前面板
５  周壁
６  把手本体
７  背面板
８  ボス部
９  窓孔
１０  位置決め突起
４５  通気孔
１１  ねじ孔
１２  錠前機構
１７  閂
３０  筐体
３１  ガラリ戸
３２  側壁
３３  掛止具
３３ａ  掛止孔
３５  前板
３６  ボックス部
３７  収納ケース
３８  天板
３９  閂受け
４０  ボックス
４１  開き扉
４２  掛止孔
４３  ヒンジ
Ｂ１，Ｂ３  固定具
【図１】
0003207069.tif 000003
【図２】
0003207069.tif 000004
【図３】
0003207069.tif 000005
【図４】
0003207069.tif 000006
【図５】
0003207069.tif 000007
【図６】
0003207069.tif 000008
【図７】
0003207069.tif 000009